(57)【要約】  本発明は、自動按摩椅子に多様なストレッチング機能性をさらに備えた按摩椅子を提供するものである。すなわち、本発明は、座板部（２０）と、按摩ローラ（４０）が左右両側に内蔵設置される背板部（１０）と、両足を固定させるために、背板部（１０）の前方下側に形成される、足かけ（３３）または足踏み板（３０）と、背板部（１０）の後方に設けられ、駆動力によりハンドレバー（５１）を乗降させる、上半身ストレッチング部（５０）と、を備え、両手でハンドレバー（５１）を取った状態で、ハンドレバー（５１）が乗降するときに、身体全体が弛緩されるようにし、背板部１０の下側に、腰ストレッチングのための腰椎ストレッチング部（７０）及び背板部（１０）にエアを供給するためのエアコンディショナー（４６０）を選択的に備え、ストレッチングによる使用者の疲労回復に大きな効果を与えることができる。
2020529908.tif 000002
【特許請求の範囲】
【請求項１】
ストレッチング機能性を向上させた按摩椅子であって、
座板部と、
按摩ローラが左右両側に内蔵設置される背板部と、
両足を固定させるために、前記背板部の前方下側に設けられる足かけまたは足踏み板と、
前記背板部の後方に設けられ、駆動力によりハンドレバーを乗降させる、上半身ストレッチング部と、を含み、
両手で前記ハンドレバーを取った状態で、前記ハンドレバーが乗降するときに、身体全体がストレッチングされるようにすることを特徴とする、
按摩椅子。
【請求項２】
前記上半身ストレッチング部は、
前記背板部の背面に設けられた軸支部に上下に移動する乗降ピンが結合され、該乗降ピンの上端は、前記ハンドレバーと連結され、
前記乗降ピンの下部には、ピンハウジングに支持されるスクリューが設けられ、該スクリューは、前記乗降ピンに螺合され、
前記スクリューの下部側は、当該按摩椅子の内部に設けられる駆動モータと連結され、前記スクリューの回転方向に沿って前記乗降ピンが上下に移動しながら、前記ハンドレバーが乗り降りするようになることを特徴とする、
請求項１に記載の按摩椅子。
【請求項３】
前記上半身ストレッチング部は、
レバー乗降モータと、その上部に形成される固定管体と、該固定管体内においてレバー乗降モータの駆動軸に結合されたスクリューに螺合され、スクリューの回転により乗降作動する、乗降ピンと、該乗降ピンの上端に結合される前記ハンドレバーと、を含み、前記レバー乗降モータの駆動により、前記ハンドレバーが乗降するようになることを特徴とする、
請求項１に記載の按摩椅子。
【請求項４】
前記上半身ストレッチング部は、
油圧または空圧で作動するレバーシリンダと、
該レバーシリンダのロッドに連結され、前記背板部の背面に形成される軸支部に支持され、上下摺動作動される、乗降ピンと、
該乗降ピンの上端に連結される前記ハンドレバーと、を含むことを特徴とする、
請求項１に記載の按摩椅子。
【請求項５】
前記足踏み板には、マッサージ効果のため、空気圧により収縮・膨張するエアチューブが設けられ、
当該按摩椅子の内部には、前記足踏み板を前後進させるための足踏み板送りモータが設けられ、前記ハンドレバーが上昇するとき、前記足踏み板が前進しながら下半身を引っ張り、上・下半身が同時に弛緩されるようにすることを特徴とする、
請求項１に記載の按摩椅子。
【請求項６】
前記足踏み板は、前記足踏み板送りモータの前方に連結される固定管体と、該固定管体内において直線運動する足踏み板送りピンと連結され、前記足踏み板が前後進するようになることを特徴とする、請求項５に記載の按摩椅子。
【請求項７】
前記足踏み板には、前記足踏み板側に固定設置される送りナット部と、該送りナット部の内部に結合され、前記足踏み板送りモータにより回転駆動するねじ軸と、を含み、該ねじ軸の回転により、前記足踏み板が前後進するようになることを特徴とする、請求項５に記載の按摩椅子。
【請求項８】
ストレッチング機能性を向上させた按摩椅子であって、
座板部と、按摩ローラが左右両側に内蔵設置される背板部と、足とふくらはぎにマッサージ機能を与える足踏み板と、を含み、
下半身ストレッチング効果のために、前記足踏み板は、当該按摩椅子の内部に設けられる足踏み板送りモータの動力により前後進可能になり、
前記背板部の上側には、当該按摩椅子に座った状態で、両手を上げて手で取られるハンドレバーを上下移動可能に設置し、
前記足踏み板の背面と前記ハンドレバーとの間には、上部滑車と下部滑車に案内されるワイヤを介在し、前記足踏み板が前進するときに、前記足踏み板に連結される前記ワイヤが、前記ハンドレバーを引っ張って上昇するようになることを特徴とする、
按摩椅子。
【請求項９】
前記背板部の下側には、アクチュエータと、このアクチュエータに連結されて乗降作動する腰椎支持台と、を含む、腰椎ストレッチング部が設けられ、
腰椎支持台が前進すると、使用者の腰椎が圧迫されるようにすることを特徴とする、
請求項１または８に記載の按摩椅子。
【請求項１０】
前記アクチュエータは、当該按摩椅子の内部に設けられ、油圧または空圧で駆動する腰椎支持用のシリンダで構成され、該シリンダのロッドの端部に腰椎支持台が連結されることを特徴とする、請求項９に記載の按摩椅子。
【請求項１１】
前記アクチュエータは、当該按摩椅子内に設けられる駆動モータに連結されて回転するスクリューと、該スクリューと螺合され、該スクリューが回転するときに、軸支部にガイドされて乗降する乗降ピンと、を含み、
該乗降ピンの上端に腰椎支持台が連結されることを特徴とする、
請求項９に記載の按摩椅子。
【請求項１２】
前記アクチュエータは、当該按摩椅子内に設けられる駆動モータに連結されて回転するラックと、該ラックに噛み合って乗降するピニオンと、を含み、
該ピニオンの上端に腰椎支持台が連結されることを特徴とする、
請求項９に記載の按摩椅子。
【請求項１３】
前記背板部の下側には、ローラと、該ローラの回転中心軸が結合される固定台と、該固定台に結合され、前記ローラを前後進させる、アクチュエータと、を含む、腰椎ストレッチング部が設けられ、
前記背板部の内側には、按摩ローラが設けられ、当該按摩椅子の支持フレームに沿って移動するローラキャリアが設けられ、
前記アクチュエータの一側を前記ローラキャリアに固定し、前記ローラキャリアと一緒に乗降するようになることを特徴とする、請求項１または９に記載の按摩椅子。
【請求項１４】
ストレッチング機能性を向上させた按摩椅子であって、
座板部と、按摩ローラが左右両側に内蔵設置される背板部と、該背板部と前記座板部との内部両側に当該按摩椅子を支持するために設けられる支持フレームと、を含み、
該支持フレーム間には、前記按摩ローラが作動するための作動空間部が形成され、
前記背板部の内側には、前記作動空間部に空気を供給するエアコンディショナーをさらに備えることを特徴とする、
按摩椅子。
【請求項１５】
前記背板部の内側において当該按摩椅子の前記支持フレームに沿って移動するローラキャリアと、該ローラキャリアに形成される按摩ローラ固定具に設けられる按摩ローラと、前記ローラキャリアまたは前記按摩ローラ固定具に結合され、前記按摩ローラの上下動に沿って移動するように、柔軟な素材からなる、空気供給ホースと、該空気供給ホースの後端にエアコンディショナーを連結して構成することを特徴とする、請求項１４に記載の按摩椅子。
【請求項１６】
前記エアコンディショナーは、ヒータまたは冷却器を有し、室内空気を吸引して空気供給ホースに供給するために、前記背板部にファンがさらに設けられることを特徴とする、請求項１４に記載の按摩椅子。
【請求項１７】
前記座板部の中心には支え板と、該支え板の上側に設けられ、弾性素材で構成される、複数個の支持部材と、該支持部材の上側に設けられる振動板と、該振動板と連結され、該振動板の上部に配置される、按摩パッドと、該按摩パッドを振動させるために前記振動板に連結される振動器と、で構成される、局所按摩装置が設けられたことを特徴とする、請求項１に記載の按摩椅子。
【発明の詳細な説明】
【技術分野】
【０００１】
本発明は、ストレッチング機能性を向上させた按摩椅子に関し、さらに詳しくは、背中と肩への按摩機能を有する自動按摩椅子に座った使用者に、上半身、下半身、及び腰椎部にストレッチング効果を与える按摩椅子に関する。
【背景技術】
【０００２】
従来、按摩椅子に座り、身体の背中と手足部位に対して、内蔵された按摩ローラの多様な摩擦機能、打撃機能、圧迫機能などを、一定のタイム設定プログラムにより繰り返して提供する自動按摩器が様々な構成の形態で普及されている。
【０００３】
関連先行技術としては、特許文献１に開示された全身按摩器に関する発明がある。これは、椅子に座り、使用者の体形に合わせて角度を傾け、按摩を行い、多様な類型の按摩のために、背もたれと、太股と尻を按摩する座板と、上下に調節可能な足マッサージ機とを椅子の形態で構成し、楽な姿勢で按摩を受けるようにしたものである。特に、全身を楽に按摩またはマッサージするように椅子の形態で構成し、背もたれ、座板、及び足が位置する部位において、同時にまたはそれぞれ按摩することができ、背もたれに背中按摩部を多様なタイプで作動するように構成し、足を按摩すると同時に、身体の大きさに合わせて高低を容易に調節し、便利に按摩を受けるようにしたものである。
【０００４】
また、従来の自動椅子は、ローラによる打撃や圧迫により按摩が行われるだけで、身体の疲れを癒してくれるまた他の方法であるストレッチングのような効果を与えず、使用後も清々しさが足りないという問題があった。  
【先行技術文献】
【特許文献】
【０００５】
【特許文献１】ＫＲ１０−０６２５８５０Ｂ１
【発明の概要】
【発明が解決しようとする課題】
【０００６】
本発明では、上記した従来の按摩椅子が提供するローラによる単純な按摩機能以外に、身体の筋肉と関節を伸ばして弛緩させるストレッチング機能を加え、多様な按摩機能を与えることのできる、ストレッチング機能性を向上させた按摩椅子を提供することを、発明が解決しようとする課題とする。
【０００７】
また、使用者の腰部に、シリンダや電気モータを用いたアクチュエータにより乗降する腰椎ストレッチング部をさらに設置し、腰椎を圧迫して弛緩させる機能性を有する按摩椅子を提供することを、発明の他の解決課題とする。
【０００８】
また、使用者がさらに快適に按摩を受けるように、背板部に充分な量の空気が供給され、身体に噴出されるように構成した、ストレッチング機能性を向上させた按摩椅子を提供することを、発明の更なる解決課題とする。
【課題を解決するための手段】
【０００９】
上記した発明の課題を解決するための具体的な手段として、本発明では、ストレッチング機能性を向上させた按摩椅子が、座板部と、按摩ローラが左右両側に内蔵設置される背板部と、両足を固定させるために、背板部の前方下側に形成される足かけまたは足踏み板と、背板部の後方に設けられ、駆動力によりハンドレバーを乗降させる上半身ストレッチング部と、背板部の下側に設けられ、アクチュエータに連結されて乗降作動する腰椎支持台７構成される腰椎ストレッチング部と、を備えることを特徴とする。
【００１０】
また、足踏み板には、マッサージ効果のため、空気圧により収縮・膨張するエアチューブが設けられ、按摩椅子の内部には、足踏み板を前後進させるための足踏み板送りモータが設けられ、ハンドレバーが上昇するとき、足踏み板が前進しながら下半身を引っ張り、上・下半身が同時に弛緩されるようにすることを特徴とする。
【００１１】
また、背板部の下側には、アクチュエータと、このアクチュエータに連結されて乗降作動する腰椎支持台を有する腰椎ストレッチング部と、を備え、腰椎支持台が前進するとき、使用者の腰椎が圧迫されるようにすることを特徴とする。
【００１２】
また、本発明に係る按摩椅子は、座板部と、按摩ローラが左右両側に内蔵設置される背板部と、背板部と座板部の内部両側に按摩椅子を支持するために設けられる支持フレームと、を備え、支持フレーム間には、按摩ローラが作動するための作動空間部が形成され、背板部の内側には、作動空間部に空気を供給するエアコンディショナーがさらに設けられることを特徴とする。
【発明の効果】
【００１３】
上述した課題の解決のための具体的な手段によれば、自動按摩椅子の上側に手で取りやすい鉄棒状のハンドレバーを加え、ハンドレバーを上向き移動して上半身をストレッチングするとともに、足踏み板も前進し、身体全身の筋肉と関節を弛緩して、使用者の疲労回復に大きな効果がある。
【００１４】
また、上・下半身をストレッチングする間、腰付近に設けられた腰椎ストレッチング部の作動により、腰椎を圧迫し弛緩させて腰に清々しい感じを与え、さらに腰痛を緩和させるという効果がある。
【００１５】
背板部には、按摩ローラが動作する部位に空気を供給するためのエアコンディショナーが設けられ、使用者がさらに快適な環境で按摩を受けることができるという効果がある。
【図面の簡単な説明】
【００１６】
【図１】本発明において提供するストレッチング機能性を向上させた按摩椅子の背板部を切開した斜視図である。
【図２】按摩椅子の上半身ストレッチング部の細部構成を示す分解斜視図である。
【図３】按摩椅子の上半身ストレッチング部と足踏み板の連結構成を示す図である。
【図４】本発明に係る按摩椅子の使用状態図である。
【図５】上半身ストレッチング部の他の実施例を示す図である。
【図６】本発明のハンドレバーをチェーンを用いて駆動する構成を示す図である。
【図７】本発明のハンドレバーをシリンダ装置を用いて駆動する構成を示す図である。
【図８】按摩椅子の要部に指圧突起及び局所按摩装置が用いられた例示図である。
【図９】上半身ストレッチング部と足踏み板の連結構成の他の実施例を示す図である。
【図１０】腰椎ストレッチング部の設置状態及びアクチュエータの実施例を示す状態図である。
【図１１】腰椎ストレッチング部のアクチュエータの他の実施例を示す斜視図である。
【図１２】腰椎ストレッチング部のまた他の実施例を示す斜視図である。
【図１３】按摩椅子の背板部に設けられるエアコンディショナーの設置状態図である。
【図１４】背板部に用いられる背板外皮の実施例を示す図である。
【発明を実施するための形態】
【００１７】
以下、添付された図面を参照して、本発明の好適な実施例について詳述する。図１は、本発明において提供するストレッチング機能性を向上させた按摩椅子の背板部のカバーを切開した斜視図であって、本発明の全体構成は、乗降移動式の按摩ローラ４０が左右両側に内蔵設置される背板部１０と、使用者が座れる座板部２０と、を備え、前記背板部１０と座板部２０は、按摩椅子における左右の支持フレーム１１に固定及び支持される構造である。
【００１８】
図示のように、背板部１０の内部両側に座板部２０まで繋がる支持フレーム１１が配置され、これらの支持フレーム１１間には、作動空間部１０ａを形成し、その中に左右１対の結合からなる按摩ローラ４０が乗降作動するように設けられ、腰、背中、肩部分に振動式按摩を提供している。
【００１９】
本発明において提供する按摩椅子１は、上半身ストレッチング効果のために、背板部１０に上半身ストレッチング部５０が設けられることを特徴とする。
【００２０】
上半身ストレッチング部５０は、按摩椅子１の背板部１０の後方において、駆動力により乗降作動されるハンドレバー５１を有し、図４のように、按摩椅子の前方下部に設けられた足踏み板３０が前方に進出するときに、前記ハンドレバー５１も、同伴上昇して作動するものであって、両手でハンドレバー５１を取り、ハンドレバー５１が乗降するとき、上半身の関節と筋肉が弛緩されるストレッチング運動を提供するためのものである。
【００２１】
ハンドレバー５１を乗降させる駆動部について説明する。図２を参照すると、背板部１０の背面に固定設置される取付板５５の上側中心に形成される軸支部５３に、上下摺動作動する乗降ピン５４が結合され、乗降ピン５４の上端は、ハンドレバー５１と連結される。
【００２２】
また、乗降ピン５４の下部には、取付板５５の下部中心のピンハウジング５９に内蔵されたベアリング５７に支持されるスクリュー５６が設けられ、このスクリュー５６が前記乗降ピン５４の内部中心に螺合される。これにより、スクリュー５６が回転すると、回転方向に沿って、乗降ピン５４が上昇または下降作動しながら、ハンドレバー５１が乗り降りする。
【００２３】
前記ハンドレバー５１を乗降作動させるスクリュー５６の下部側は、図３に示すように、電動ケーブル軸５８と連結され、これは、按摩椅子１の内部に設けられる別途の駆動モータＭと作動するように互いに連結される。前記電動ケーブル軸５８は、モータの回転駆動力を伝えるためのフレキシブルなワイヤケーブルであり、一般の動力伝達手段である。
【００２４】
図２において、乗降ピン５４の上側にねじ棒５４ａを形成してハンドレバー５１に螺合させた構造は、使用者の伸長に応じて、ハンドレバー５１の上昇高さＨ（図３）を微細調整するための手段である。
【００２５】
前記ハンドレバー５１の乗降高さＨは、使用者の身体条件に合わせて動作するように、使用者が任意で設定することができ、図２に示すように、ハンドレバー５１の両側にスイッチ５１ａを設置し、スイッチ５１ａの操作によりハンドレバー５１を乗降させる。
【００２６】
一例として、一側のスイッチ５１ａを押圧すると、乗降作動し、他側のスイッチ５１ａを押圧すると、下降作動するようにし、このような設定は、光センサやロータリエンコーダのような測定装置を用いて、リモートコントローラー８０を介して設定し制御することもできる。
【００２７】
按摩椅子１の前方下側に使用者の両足を掛けるための足かけ３３を形成すると、前記上半身ストレッチング部５０の上昇作動時、両足が足かけ３３にかかって固定されるので、上半身のみならず、全身にわたってストレッチング効果が得られる。
【００２８】
また、按摩椅子の前方下側に使用者の足を収容した状態で、エアチューブを収縮または膨張させ、足とふくらはぎにマッサージ機能を与える足踏み板３０をさらに備え、下半身ストレッチングのために、足踏み板３０を前後進させるようにする。
【００２９】
使用者が着席した状態で、前記足踏み板３０が前方へ進出するときは、ハンドレバー５１も一緒に上部へ一定の高さだけ上昇し、ストレッチングが行われるためには、足踏み板３０が前方へ移動するとき、空気圧でふくらはぎと足をマッサージするエアチューブを膨張させ、足を堅固に支持した状態であるときに、ストレッチング運動が行われるようにする。
【００３０】
二軸モータなどを前記駆動モータＭとして用いるとき、図３に示すように、一つのモータで上半身ストレッチング部５０の乗降作動と足踏み板３０の前後進作動を実現することができ、駆動方式の例示の詳細は後述する。
【００３１】
このように本発明で提供する按摩椅子は、按摩椅子の後方に上下昇降作動する上半身ストレッチング部５０が設けられており、全身ストレッチング運動が可能である。既存の按摩椅子は、単に、按摩ローラ４０の打撃と圧迫による背中、腰への按摩と一緒に、足踏み板３０において空気圧を用いたふくらはぎと足の周囲を揉むマッサージ機能のみを提供するだけで、身体を弛緩させるストレッチング運動効果は期待することができなかった。
【００３２】
特に、前記足踏み板３０と上半身ストレッチング部５０が同時に突出されると、図４の使用状態図のように、両手でハンドレバー５１を取った状態で、ハンドレバー５１が上昇しながら上半身ストレッチングが行われるとともに、足踏み板３０の進出により、下半身が前方に引っ張られながら上半身と下半身が同時に上下に引っ張られて弛緩されるので、筋肉の緊張をほぐし、疲労回復に役立ち、関節の柔軟性が高くなる効果がある。
【００３３】
図５乃至図７では、本発明に係る按摩椅子において、上半身ストレッチング部５０と足踏み板３０の多様な駆動方式の実施例を示している。
【００３４】
図５に示すように、上半身ストレッチング部５０は、レバー乗降モータ６３と、その上部に形成される固定管体６５と、固定管体６５内においてレバー乗降モータ６３の駆動軸に結合されたスクリュー５６の回転により乗降作動する乗降ピン５４と、ハンドレバー５１の中心部において、乗降ピン５４の上部に結合される垂直支持竿５２と、を備える。したがって、前記レバー乗降モータ６３の正回転、逆回転駆動により、ハンドレバー５１が乗降作動する。
【００３５】
これと同様に、足踏み板３０もストレッチング効果を与えるために、足踏み板送りモータ６４と連結して前後進可能にする。すなわち、足踏み板送りモータ６４と、その前方に設けられる固定管体６６と、固定管体６６内において、足踏み板送りモータ６４の駆動軸に結合されたスクリュー５６に嵌合式で結合され、スクリュー５６の回転により乗降作動する足踏み板送りピン６７と、を備え、足踏み板送りピン６７を足踏み板３０の後方に連結し、上半身ストレッチング部５０と足踏み板３０の作動を個別にコントロールすることができる。
【００３６】
或いは、図９に示すように、前記足踏み板３０に固定形成される送りナット部３２と、送りナット部３２に結合され、足踏み板送りモータ６４により回転駆動するねじ軸３１と、を備え、足踏み板３０を前後進するようにしてもよい。
【００３７】
このとき、足踏み板３０の上側には、足踏み板３０が前方に移動するとき、足をかけてストレッチングを容易にするように足かけ３３が設けられる。この足かけ３３が設けられた場合、使用者が足をかけたまま、上半身ストレッチング部５０のみを作動させても、身体全体がストレッチングされる効果が得られる。
【００３８】
一方、ハンドレバー５１の上下移動は、上述した送りモータ６３を用いた駆動モータ以外にも、図６に示すように、スクリュー５６の下端部をチェーンまたはベルトを用いて駆動モータに連結し、スクリュー５６が回転するとき、乗降ピン５４が取付板５５に形成された軸支部５３にガイドされて乗降されるようにし、或いは、図７に示すように、背板部１０の背面に固定設置される取付板５５に形成される軸支部５３に支持される乗降ピン５４に、直線往復するレバーシリンダ６１のロッドを連結して駆動されるようにしてもよい。
【００３９】
図９は、按摩椅子において、上半身ストレッチング部と足踏み板が互いに連携作動するようになった実施例を示す図であって、按摩椅子１の内部に設けられる足踏み板送りモータ６４の動力により、足踏み板３０が前後進移動するとき、これと連携して、ハンドレバー５１と一緒に乗降作動されるようにする。
【００４０】
このため、足踏み板３０の背面には、足踏み板を前後進させる駆動装置と干渉しないように、足踏み板ワイヤ連結部９５が設けられ、ハンドレバー５１の中心部には、取っ手ワイヤ連結部９７が設けられる。
【００４１】
また、足踏み板ワイヤ連結部９５に連結されたワイヤ９６の連結方向を上側に変える下部滑車９９を有し、下部滑車９９を経由するワイヤ９６を垂直支持竿５２に形成された取っ手ワイヤ連結部９７側に連結させるための上部滑車９８を、取っ手ワイヤ連結部９７よりも高い位置に配置させ、ワイヤ９６が上方から下方に連結されるようにする。このようにすると、２つの滑車を用いて作動方向を変えることにより、足踏み板３０が前進するとき、ハンドレバー５１が上昇して、使用者の上半身と下半身を同時にストレッチングすることができる。
【００４２】
図８は、按摩椅子の要部に指圧突起が用いられた例示図であつて、ハンドレバー５１の取っ手または背板部１０の内側の按摩ローラ４０の表面に多数の指圧突起が形成され、さらに刺激的なマッサージ効果を与えることができる。
【００４３】
一方、按摩椅子の座板には、図８に示した局所按摩装置がさらに設けられてもよい。前記局所按摩装置１００は、座板部２０の中心に設けられ、椅子に座ったとき、尻は座板部２０に支持され、局所部と直接的に接する按摩パッド１１０のみが座板部の上に突出される。
【００４４】
具体的に、座板部２０の内部に設けられた支え板１２の上側に一定の高さを有する弾性素材で構成された複数個の支持部材１７０が固定結合され、支持部材１７０の上側に振動板１６０が設けられる。
【００４５】
振動板１６０の上部には、前後に位置移動可能に配置され、弾力性樹脂材で構成される按摩パッド１１０が形成され、按摩パッド１１０を振動させるために、前記振動板１６０に連結される振動器１２０を有する。
【００４６】
このように、前記局所按摩装置１００は、椅子１の座板に設けられ、振動器１２０に電源が供給されると、その軸に連結された振動板１６０と、その上側に結合される按摩パッド１１０とが柔らかくて高速で振動され、会陰部と肛門の周囲に柔らかい振動マッサージを与え、前立腺疾患の治療、予防、血液循環の改善、またストレスの解消に大いに役立つ。
【００４７】
図１０に示すように、按摩椅子の背板部１０（図８）の下部には、シリンダや電気モータを用いたアクチュエータ７９に連結されて乗降する腰椎支持台７２と、この腰椎支持台７２に取り付けられるクッション７３と、を有する、腰椎ストレッチング部７０がさらに設けられ、使用者の腰椎にストレッチング効果を与えることができる。
【００４８】
図１０を参照すると、前記腰椎ストレッチング部７０は、按摩椅子の内部に設けられる腰椎支持用シリンダ７１と、前記シリンダ７１のロッドの端部に連結される腰椎支持台７２と、これに取り付けられ、柔らかいクッション感を与えるためのクッション７３と、を有し、腰椎支持用シリンダ７１により腰椎支持台７２が前進するときに、腰椎を圧迫し弛緩させて腰に清々しい感じを与え、さらに腰痛を緩和させるという効果がある。
【００４９】
このとき、前記クッション７３を空気圧で収縮・膨張されるエアチューブとすれば、クッション７２に空気供給用エアホース７３ａを連結してから、空気圧を用いてエアチューブの大きさを適切に可変させ、使用者により最適のストレッチング効果が得られる。
【００５０】
前記腰椎ストレッチング部７０は、上半身ストレッチング部５０と足踏み板から提供される下半身ストレッチング機能と一緒に連動して用いると、全身にわたりストレッチング効果を倍加させることができる。
【００５１】
図１１は、腰椎ストレッチング部７０のアクチュエータ７９の他の実施例を示す構成図であって、按摩椅子内に設けられる駆動モータＭに連結されて動力を提供されるスクリュー７６が回転するとき、スクリュー７６と螺合する乗降ピン７８が軸支部７７にガイドされて乗降され、前記乗降ピン７８の上端に腰椎支持台７２が連結され、乗降作動が行われるようにする。
【００５２】
また、前記アクチュエータ７９は、按摩椅子内に設けられる駆動モータＭに連結され、回転動力を伝達されるラック８１と、このラック８１と噛み合って腰椎支持台７２の後端に連結されるピニオン８２と、で構成される。
【００５３】
図１２は、腰椎ストレッチング部のまた他の実施例を示す斜視図であって、回転式ローラ７４と、一端にローラ７４の回転中心軸が結合され、他端がアクチュエータ７９に連結される固定台７５と、有する。
【００５４】
前記アクチュエータ７９の一側をローラキャリア４４０に固定させ、按摩椅子のストレッチング作動モード時、腰椎付近において、ローラキャリア４４０が上下往復しながらアクチュエータ７９が作動し、ローラ７４が進出すると、腰付近において、ローラ７４が上下に往復して自体回転するので、使用者の腰が回転式ローラ７４により伸ばされ、ストレッチング効果がさらに倍加される。
【００５５】
図１３に示すように、本発明では、支持フレーム１１間において、按摩ローラ４０が作動するための作動空間部１０ａに空気を供給するためのエアコンディショナー４６０が設けられ、使用者の所望の温度の空気を与えるようにしたことを特徴とする。
【００５６】
図１３を参照すると、背板部１０の内側において、按摩ローラ４０は、按摩ローラ固定具４２０によりローラキャリア４４０に連結され、ローラキャリア４４０は、按摩椅子の支持フレーム１１に沿って上下往復する。
【００５７】
按摩ローラ４０が作動して直接的に背中と腰を圧迫する瞬間、身体が按摩ローラにより持ち上げられ、身体と触れ合った按摩ローラの周囲に広い空間が形成されるが、充分な量の空気が供給されて優れたエア噴出効果を得るためには、この空間にエアを供給することが好ましい。
【００５８】
このため、按摩ローラ４０の上下動に対応するように、柔軟な素材の空気供給ホース４５０を按摩ローラ固定具４２０またはローラキャリア４４０に結合し、空気供給ホース４５０の後端に温気または冷気を供給するエアコンディショナー４６０を備え、使用者の背中を按摩する位置に冷気または温気を供給する。
【００５９】
空気が使用者に円滑に供給されるように、図１４に示すように按摩椅子の背板部１０の外皮３０１には、多数のエア孔３０２が形成される。
【００６０】
前記エアコンディショナー４６０には、空気を加熱するためのヒータと空気を冷却するための冷却器が設けられてもよく、室内に按摩器が設置される場合、室内の快適な空気を吸引口に流入し、前記空気供給ホースに供給するためにファンを設置してもよい。
【００６１】
以上、本発明の詳細な説明では、本発明の最も好適な実施例について説明したが、本発明の技術範囲を逸脱しない範囲内で様々な変形実施も可能であろう。したがって、本発明の保護範囲は、上記した実施例に限定して定められるものではなく、後述する特許請求の範囲の技術、及びこれらの技術と均等な技術手段にまで認められなければならない。
【産業上の利用可能性】
【００６２】
本発明において提供する按摩椅子は、背中と肩への按摩機能を有する通常の按摩椅子に、上・下半身ストレッチング機能及び腰椎ストレッチング機能をさらに加え、身体全身の筋肉と関節を弛緩し、使用者の疲労回復に大きな効果があり、極めて有効かつ実用的な発明であると言える。
【図１】
2020529908.tif 000003
【図２】
2020529908.tif 000004
【図３】
2020529908.tif 000005
【図４】
2020529908.tif 000006
【図５】
2020529908.tif 000007
【図６】
2020529908.tif 000008
【図７】
2020529908.tif 000009
【図８】
2020529908.tif 000010
【図９】
2020529908.tif 000011
【図１０】
2020529908.tif 000012
【図１１】
2020529908.tif 000013
【図１２】
2020529908.tif 000014
【図１３】
2020529908.tif 000015
【図１４】
2020529908.tif 000016
【国際調査報告】
2020529908.tif 000017
2020529908.tif 000018
2020529908.tif 000019
2020529908.tif 000020